(57)【要約】【課題】 両面各々個別的な画像の具現が可能であり、薄く形成できるデュアルタイプ有機電界発光素子とその製造方法を提供する。【解決手段】 メイン基板と、このメイン基板に形成されたメイン有機電界発光部とを備えた有機電界発光表示装置110と、サブ基板と、前記サブ基板の一側に形成されたサブ有機電界発光部とを有するサブ有機電界発光表示装置120と、前記メイン有機電界発光表示装置とサブ有機電界発光表示装置のメイン有機電界発光部とサブ有機電界発光部とが相互対向された状態で前記メイン基板とサブ基板とをシーリングして、前記メイン有機発光部とサブ有機発光部が密閉されるようにするシーリング材130とを含む。これにより、有機膜を保護することができるため外部から水分浸透を防止することができ、水分により有機膜が損傷されることを防止することができ、メイン有機電界発光表示装置とサブ有機電界発光表示装置との構造的強度を向上させ得る。【選択図】    図４
2004055565.tif 000002
【特許請求の範囲】
【請求項１】
　メイン基板と、このメイン基板に形成されたメイン有機電界発光部とを備えるメイン有機電界発光表示パネルと、
　サブ基板と、前記サブ基板に形成されたサブ有機電界発光部とを有するサブ有機電界発光表示パネルと、
　メイン有機電界発光部とサブ有機電界発光部とが相互対向された状態で前記メイン基板とサブ基板とをシーリングして、前記メイン有機電界発光部とサブ有機電界発光部とを密閉するシーリング材とを含んで成ることを特徴とするデュアルタイプ有機電界発光表示装置。
【請求項２】
　前記メイン有機電界発光表示パネルとサブ有機電界発光表示パネルとの少なくとも一側に設けられ、これらの間隔維持及び構造的強度補完のためのスペーサを備えて成ることを特徴とする請求項１に記載のデュアルタイプ有機電界発光表示装置。
【請求項３】
　前記メイン有機電界発光部の面積が前記サブ有機電界発光部の面積より広いことを特徴とする請求項２に記載のデュアルタイプ有機電界発光表示装置。
【請求項４】
　前記スペーサは前記サブ有機電界発光部以外の領域のサブ基板に形成されることを特徴とする請求項３に記載のデュアルタイプ有機電界発光表示装置。
【請求項５】
　前記スペーサは前記メイン有機電界発光表示パネル又はサブ有機電界発光表示パネルの絶縁層に具備されることを特徴とする請求項２に記載のデュアルタイプ有機電界発光表示装置。
【請求項６】
　前記スペーサは前記メイン有機電界発光表示パネル又はサブ有機電界発光表示パネルの絶縁層と一体に形成されることを特徴とする請求項２に記載のデュアルタイプ有機電界発光表示装置。
【請求項７】
　前記スペーサは前記メイン有機電界発光部又はサブ有機電界発光部が形成されていない領域の基板に具備された少なくとも１つ以上の突起であることを特徴とする請求項２に記載のデュアルタイプ有機電界発光表示装置。
【請求項８】
　前記シーリング材によって密封される領域内に前記メイン有機電界発光部とサブ有機電界発光部への水分浸透防止のための除湿手段を更に具備することを特徴とする請求項１に記載のデュアルタイプ有機電界発光表示装置。
【請求項９】
　前記除湿手段は、前記シーリング材によって密封された領域のメイン基板とサブ基板の少なくとも一側に形成された引入部に充填された除湿剤を具備することを特徴とする請求項８に記載のデュアルタイプ有機電界発光表示装置。
【請求項１０】
　前記引入部が形成された基板に付着されて除湿剤の離脱を防止する多孔性テープを更に具備する特徴とする請求項９に記載のデュアルタイプ有機電界発光表示装置。
【請求項１１】
　前記除湿手段はシート形状であることを特徴とする請求項８に記載のデュアルタイプ有機電界発光表示装置。
【請求項１２】
　前記メイン基板とサブ基板にそれぞれメイン有機電界発光部とサブ有機電界発光部を埋め込むぺッシベーション層が形成されることを特徴とする請求項１に記載のデュアルタイプ有機電界発光表示装置。
【請求項１３】
　前記ぺッシベーション層の間に除湿シートが更に具備されることを特徴とする請求項１２に記載のデュアルタイプ有機電界発光表示装置。
【請求項１４】
　前記ぺッシベーションは相互密着され、その縁が前記シーリング材により密閉されることを特徴とする請求項１２に記載のデュアルタイプ有機電界発光表示装置。
【請求項１５】
　前記ぺッシベーション層は一体に形成され、その縁が前記シーリング材により密閉されること特徴とする請求項１２に記載のデュアルタイプ有機電界発光表示装置。
【請求項１６】
　前記メイン基板とサブ基板のうち少なくとも１つは透明な物質で形成されることを特徴とする請求項１に記載のデュアルタイプ有機電界発光表示装置。
【請求項１７】
　前記透明な物質はコントラストを向上させるダークティントガラスであることを特徴とする請求項１６に記載のデュアルタイプ有機電界発光表示装置。
【請求項１８】
　前記メイン基板とサブ基板のうち少なくとも１つの外側表面に接合された偏光板を更に具備することを特徴とする請求項１に記載のデュアルタイプ有機電界発光表示装置。
【請求項１９】
　透明なメイン基板と、
　前記メイン基板上に所定のパタンで形成された第１電極と、前記第１電極が形成されたメイン基板の上面に所定の発光領域を区画するようにパターニングされた第１絶縁膜と、前記第１電極と第１絶縁膜の上面に所定のパタンで形成された有機膜と、前記第１電極に直交するように所定パタンの第２電極とを具備するメイン有機電界発光部と、
を有するメイン有機電界発光表示装置と、
　透明なサブ基板と、
　前記サブ基板上に所定のパタンで形成された第３電極と、前記第３電極が形成されたサブ基板の上面に所定の発光領域を区画するようにパターニングされた第２絶縁膜と、前記第３電極と第２絶縁膜の上面に所定のパタンで形成された有機膜と、前記第３電極に直交するように所定パタンの第４電極とを具備するサブ有機電界発光部と、
を有するサブ有機電界発光表示パネルと、
　前記メイン有機電界発光装置の発光部と前記サブ有機電界発光装置の発光部とが相互対向するようにシーリングして、メイン及びサブ有機電界発光部を密閉するシーリング材と、
を含んでなることを特徴とするデュアルタイプ有機電界発光表示装置の製造方法。
【請求項２０】
　前記メイン有機電界発光表示装置と前記サブ有機電界発光表示装置の少なくとも一側に、これらの間隔維持及び構造的強度補完のためのスペーサが設置されることを特徴とする請求項１９に記載のデュアルタイプ有機電界発光表示装置の製造方法。
【請求項２１】
　前記メイン有機電界発光部の面積が前記サブ有機電界発光部の面積より広いことを特徴とする請求項２０に記載のデュアルタイプ有機電界発光表示装置の製造方法。
【請求項２２】
　前記スペーサは前記サブ有機電界発光部以外の領域のサブ基板に形成されることを特徴とする請求項２１に記載のデュアルタイプ有機電界発光表示装置の製造方法。
【請求項２３】
　前記スペーサは第１、２絶縁膜の少なくとも一側にこれと一体に形成されることを特徴をする請求項２０に記載のデュアルタイプ有機電界発光表示装置の製造方法。
【請求項２４】
　前記シーリング部材により密封される領域内に前記メイン有機発光部とサブ有機発光部への水分浸透防止のための除湿手段を更に具備することを特徴とする請求項１９に記載のデュアルタイプ有機電界発光表示装置の製造方法。
【請求項２５】
　前記除湿手段は前記シーリング部材により密封された領域のメイン基板とサブ基板の少なくとも一側に引入部を形成し、この引入部に充填された除湿剤を具備することを特徴とする請求項２４に記載のデュアルタイプ有機電界発光表示装置の製造方法。
【請求項２６】
　前記引入部が形成された基板に付着されて除湿剤の離脱を防止する多孔性テープを更に具備することを特徴とする請求項２５に記載のデュアルタイプ有機電界発光表示装置の製造方法。
【請求項２７】
　前記除湿手段はシート形状であることを特徴とする請求項２４に記載のデュアルタイプ有機電界発光表示装置の製造方法。
【請求項２８】
　前記メイン基板とサブ基板にそれぞれメイン有機電界発光部とサブ有機電界発光部を埋め込むぺッシベーション層が形成されることを特徴とする請求項１９に記載のデュアルタイプ有機電界発光表示装置の製造方法。
【請求項２９】
　透明なメイン基板上に所定のパタンに第１電極を形成する段階と、前記メイン基板及び前記第１電極の上面に所定の発光領域を区画するようにパターニングされた絶縁膜を形成する段階と、前記第１電極と第１絶縁膜の上部に有機膜を形成する段階と、前記第１電極に直交するように所定パタンの第２電極を形成する段階と、を含むメイン有機電界発光表示装置の製造段階と、
　透明なサブ基板上に所定パタンに第３電極を形成する段階と、前記サブ基板及び前記第３電極の上面に所定発光領域を区画するようにパターニングされた第２絶縁膜を形成する段階と、前記第１電極と第２絶縁膜の上部に有機膜を形成する段階と、前記第１電極に直交するように所定パタンの第４電極を形成する段階と、を含むサブ有機電界発光表示装置の製造段階と、
　前記有機メイン有機電界発光表示装置と前記サブ有機電界発光表示装置との前記有機膜が外部から密封されるように、基板の縁をシーリングするシーリング段階と、
を含んでなることを特徴とするデュアルタイプ有機電界発光表示装置の製造方法。
【請求項３０】
　前記メイン有機電界発光表示装置と前記サブ有機電界発光表示装置をそれぞれエージングするエージング段階を更に具備することを特徴とする請求項２９に記載のデュアルタイプ有機電界発光表示装置の製造方法。
【請求項３１】
　前記メイン有機電界発光表示装置と前記サブ有機電界発光表示装置の少なくとも一側に設置され、この間隔維持及び構造的強度補完のためのスペーサを形成するスペーサ形成段階を更に具備してなることを特徴とする請求項２９に記載のデュアルタイプ有機電界発光表示装置の製造方法。
【請求項３２】
　前記巣ペーサは前記サブ有機電界発光部以外領域のサブ基板に形成されることを特徴とする請求項３１に記載のデュアルタイプ有機電界発光表示装置の製造方法。
【請求項３３】
　前記サブ有機電界発光表示装置の製造段階において、前記メイン有機発光部とサブ有機発光部への水分浸透防止のための除湿手段を設置する段階を更に含んでなることを特徴とする請求項２９に記載のデュアルタイプ有機電界発光表示装置の製造方法。
【請求項３４】
　前記除湿手段はシート形状であることを特徴とする請求項３３に記載のデュアルタイプ有機電界発光表示装置の製造方法。
【請求項３５】
　前記メイン基板とサブ基板にそれぞれメイン有機電界発光部とサブ有機電界発光部を埋め込むぺッシベーション層が形成されることを特徴とする請求項２９に記載のデュアルタイプ有機電界発光表示装置の製造方法。
【発明の詳細な説明】
【技術分野】
【０００１】
　本発明は有機電界発光表示装置に係り、より詳しくは２つの有機電界発光装置が結合されて成るデュアルタイプの有機電界発光表示装置とその製造方法に関する。
【背景技術】
【０００２】
　通常、有機電界発光表示装置は、蛍光性有機化合物を電気的に励起させて発光させる自発光型ディスプレイであり、低電圧で駆動が可能で薄型等の長所を有する。又、有機電界発光表示装置は、光視野角、早い応答速度等の液晶表示装置で問題と指摘される短所を解決することができる次世代ディスプレイとして注目されている。
【０００３】
　有機電界発光表示装置の作動原理は、電源が供給されれば電子が移動して電流が流れるが、その場合に、負極では電子が電界輸送層の助けで発光層へ移動し、相対的に正極では正孔が正孔輸送層の助けで発光層へ移動する。有機物質である発光層で出合った電子と正孔とは高エネルギ−を有する励起子を生成し、この際生成された励起子が低エネルギ−に遷移しながら光を発生する。発光層を構成している有機物質は、使用する有機発光材料によって多様なカラーを具現することができる。
【０００４】
　最近では、ユ−ザにより、フォルダータイプの電界機器で同時に２つの画面がディスプレイ可能なデュアルタイプ有機電界発光表示装置が要求されている実情である。
【０００５】
　図１を参照すれば、デュアルタイプ有機電界発光表示装置は、メイン有機電界発光表示装置10とサブ有機電界発光表示装置20との背面が相互接合されており、前後方の両側から見ることができるように成っている。
【０００６】
　前記デュアルタイプ有機電界発光表示装置において、前記メイン有機電界発光装置10は、基板11と、前記基板11上に形成される有機電界発光部12と、前記有機電界発光部12を包んで保護するキャップ14と、前記キャップ14に設けられる吸湿剤15と、前記基板11の一面に設けられる偏光板16とを含む。前記メイン有機電界発光表示装置10と結合されるサブ有機電界発光表示装置20の構成もこれと実質的に同一な構造を有するものであって、基板21と、有機電界発光部22と、キャップ23と、吸湿剤24と、偏光板25とを含んでいる。
【０００７】
　前記デュアルタイプの有機電界発光表示装置は、ユ−ザが選択的に前面と背面、即ち、メイン有機電界発光表示装置10とサブ有機電界発光表示装置20とに表示された情報を用いることができる。例えば、かかるデュアルタイプの有機電界発光表示装置はフォルダー型の電子製品に用いることができる。
【０００８】
　デュアルタイプの有機電界発光表示装置の他の例が図２に開示されている。図２を参照すれば、本例のデュアルタイプの有機電界発光表示装置は、メイン有機電界発光表示装置30と相対的に小さいサブ有機電界発光表示装置40との各キャップ31,41の突出部32,42が互い違いに配置されて、薄膜状に形成した構造を有する。
【０００９】
　かかるデュアルタイプ有機電界発光表示装置であっても、メイン及びサブ有機電界発光表示装置30,40の境界になる部分がキャップの接する部分になるため、両キャップ31,41の高さによる有機電界発光表示装置が全体的に厚くなることになり、デュアルタイプ有機電界発光表示装置を薄くするのに限界がある。
【００１０】
　図３はデュアルタイプディスプレイの他の例として有機電界発光表示装置50の背面に液晶表示装置60を接合した構造が開示されている。
【００１１】
　特許文献１には、両面発光型電界発光素子が開示されている。開示された素子は、仕事関数が小さい金属よりなるカソード電極を中間に介在させ、その両面にそれぞれ電界発光材料を設け、前記各電界発光材料の上下面には透明電極が設けられた構成を有する。かかる有機電界発光素子は電界発光材料を水分から保護するための吸湿剤の設置が難しい。
【００１２】
　特許文献２には、両方向電界駆動型有機電界発光素子が開示されている。開示された有機電界発光素子は、少なくとも一方が透明又は半透明である一対の電極と、これら一対の電極間に位置し、各電極から注入された正孔及び電界の再結合により発光する有機蛍光性物質で形成されたホスト発光層と、このホスト発光層と各電極との間に位置し、各電極から注入された正孔及び電界を輸送できると同時にかかる正孔及び電界を前記ホスト発光層内に効率的に入れ込み可能であり、又発光した光の極大領域において光透過性である一対のキャリヤ輸送層とを備える。
【００１３】
　又、特許文献３には、両面発光型有機電界発光表示素子が開示されている。開示された有機電界発光表示素子は、カソード電極と透明なアノード電極との間に電界輸送層、有機発光層、正孔輸送層が積層された有機膜が設けられ、前記カソード電極の少なくとも一部分に導光部として透明部材が設けられる。前述したように構成された両面発光型有機電界発光表示装置は、カソード電極とアノード電極及びこれら間に位置される有機膜により形成される画像を見るようになるため、両面で二元化された画像を具現することができない。
【特許文献１】特開2000−58260公報
【特許文献２】特開平10−255974号公報
【特許文献３】特開2001−332392公報
【発明の開示】
【発明が解決しようとする課題】
【００１４】
　本発明の目的は、両面各々個別的な画像の具現が可能であり、薄く形成できるデュアルタイプ有機電界発光表示装置を提供することである。
【００１５】
　本発明の他の目的は、有機膜への水分浸透を防止して寿命を延ばすことができるデュアルタイプ有機電界発光表示装置を提供することである。
【００１６】
　本発明の更に他の目的は、基板の接着時にそれらの間にギャップによる支持力を向上させて構造的強度を高めたデュアルタイプ有機電界発光表示装置を提供することである。
【課題を解決するための手段】
【００１７】
　かかる課題を解決するために、本発明のデュアルタイプ有機電界発光表示装置は、メイン基板と、このメイン基板に形成されたメイン有機電界発光部とを備えるメイン有機電界発光表示パネルと、サブ基板と、前記サブ基板に形成されたサブ有機電界発光部とを有するサブ有機電界発光表示パネルと、前記メイン有機電界発光表示パネルとサブ有機電界発光表示パネルのメイン有機電界発光部とサブ電界発光部とが相互対向された状態で前記メイン基板とサブ基板とをシーリングして、前記メイン有機電界発光部とサブ有機電界発光部とを密閉するシーリング材とを含んで成ることを特徴とする。
【００１８】
　前記メイン有機電界発光表示パネルとサブ有機電界発光表示パネルとの少なくとも一側に設けられ、これらの間隔維持及び構造的強度補完のためのスペーサを備えて成ることを特徴とする。前記メイン有機電界発光部の面積が前記サブ有機電界発光部の面積より広いことを特徴とする。前記スペーサは前記サブ有機電界発光部以外の領域のサブ基板に形成されることを特徴とする。前記スペーサは前記メイン有機電界発光表示パネル又はサブ有機電界発光表示パネルの絶縁層に具備されることを特徴とする。前記スペーサは前記メイン有機電界発光表示パネル又はサブ有機電界発光表示パネルの絶縁層と一体に形成されることを特徴とする。前記スペーサは前記メイン有機電界発光部又はサブ有機電界発光部が形成されていない領域の基板に具備された少なくとも１つ以上の突起であることを特徴とする。前記シーリング材によって密封される領域内に前記メイン有機電界発光部とサブ有機電界発光部への水分浸透防止のための除湿手段を更に具備することを特徴とする。前記除湿手段は、前記シーリング材によって密封された領域のメイン基板とサブ基板の少なくとも一側に形成された引入部に充填された除湿剤を具備することを特徴とする。前記引入部が形成された基板に付着されて除湿剤の離脱を防止する多孔性テープを更に具備する特徴とする。前記除湿手段はシート形状であることを特徴とする。前記メイン基板とサブ基板にそれぞれメイン有機電界発光部とサブ有機電界発光部を埋め込むぺッシベーション層が形成されることを特徴とする。前記ぺッシベーション層の間に除湿シートが更に具備されることを特徴とする。前記ぺッシベーションは相互密着され、その縁が前記シーリング材により密閉されることを特徴とする。前記ぺッシベーション層は一体に形成され、その縁が前記シーリング材により密閉されること特徴とする。前記メイン基板とサブ基板のうち少なくとも１つは透明な物質で形成されることを特徴とする。前記透明な物質はコントラストを向上させるダークティントガラスであることを特徴とする。前記メイン基板とサブ基板のうち少なくとも１つの外側表面に接合された偏光板を更に具備することを特徴とする。
【００１９】
　又、本発明のデュアルタイプ有機電界発光表示装置の製造方法は、透明なメイン基板と、前記メイン基板上に所定のパタンで形成された第１電極と、前記第１電極が形成されたメイン基板の上面に所定の発光領域を区画するようにパターニングされた第１絶縁膜と、前記第１電極と第１絶縁膜の上面に所定のパタンで形成された有機膜と、前記第１電極に直交するように所定パタンの第２電極とを具備するメイン有機電界発光部と、を有するメイン有機電界発光表示装置と、透明なサブ基板と、前記サブ基板上に所定のパタンで形成された第３電極と、前記第３電極が形成されたサブ基板の上面に所定の発光領域を区画するようにパターニングされた第２絶縁膜と、前記第３電極と第２絶縁膜の上面に所定のパタンで形成された有機膜と、前記第３電極に直交するように所定パタンの第４電極とを具備するサブ有機電界発光部と、を有するサブ有機電界発光表示パネルと、前記メイン有機電界発光装置の発光部と前記サブ有機電界発光装置の発光部とが相互対向するようにシーリングして、メイン及びサブ有機電界発光部を密閉するシーリング材と、を含んでなることを特徴とする。
【００２０】
　前記メイン有機電界発光表示装置と前記サブ有機電界発光表示装置の少なくとも一側にこれらの間隔維持及び構造的強度補完のためのスペーサが設置されることを特徴とする。前記メイン有機電界発光部の面積が前記サブ有機電界発光部の面積より広いことを特徴とする。前記スペーサは前記サブ有機電界発光部以外の領域のサブ基板に形成されることを特徴とする。前記スペーサは第１、２絶縁膜の少なくとも一側にこれと一体に形成されることを特徴をする。前記シーリング部材により密封される領域内に前記メイン有機発光部とサブ有機発光部への水分浸透防止のための除湿手段を更に具備することを特徴とする。前記除湿手段は前記シーリング部材により密封された領域のメイン基板とサブ基板の少なくとも一側に引入部を形成し、この引入部に充填された除湿剤を具備することを特徴とする。前記引入部が形成された基板に付着されて除湿剤の離脱を防止する多孔性テープを更に具備することを特徴とする。前記除湿手段はシート形状であることを特徴とする。前記メイン基板とサブ基板にそれぞれメイン有機電界発光部とサブ有機電界発光部を埋め込むぺッシベーション層が形成されたことを特徴とする。
【００２１】
　又、デュアルタイプ有機電界発光表示装置の製造方法は、透明なメイン基板上に所定のパタンに第１電極を形成する段階と、前記メイン基板及び前記第１電極の上面に所定の発光領域を区画するようにパターニングされた絶縁膜を形成する段階と、前記第１電極と第１絶縁膜の上部に有機膜を形成する段階と、前記第１電極に直交するように所定パタンの第２電極を形成する段階と、を含むメイン有機電界発光表示装置の製造段階と、透明なサブ基板上に所定パタンに第３電極を形成する段階と、前記サブ基板及び前記第３電極の上面に所定発光領域を区画するようにパターニングされた第２絶縁膜を形成する段階と、前記第１電極と第２絶縁膜の上部に有機膜を形成する段階と、前記第１電極に直交するように所定パタンの第４電極を形成する段階と、を含むサブ有機電界発光表示装置の製造段階と、前記有機メイン有機電界発光表示装置とサブ有機電界発光表示装置を前記有機膜が外部と密封されるように基板の縁をシーリングするシーリング段階と、を含んでなることを特徴とする。
【００２２】
　前記メイン有機電界発光表示装置とサブ有機電界発光表示装置をそれぞれエージングするエージング段階を更に具備することを特徴とする。前記メイン有機電界発光表示装置と前記サブ有機電界発光表示装置の少なくとも一側に設置され、この間隔維持及び構造的強度補完のためのスペーサを形成するスペーサ形成段階を更に具備してなることを特徴とする。前記巣ペーサは前記サブ有機電界発光部以外領域のサブ基板に形成されたことを特徴とする。前記サブ有機電界発光表示装置の製造段階において、前記メイン有機発光部とサブ有機発光部への水分浸透防止のための除湿手段を設置する段階を更に含んでなることを特徴とする。前記除湿手段はシート形状であることを特徴とする。前記メイン基板とサブ基板にそれぞれメイン有機電界発光部とサブ有機電界発光部を埋め込むぺッシベーション層が形成されたことを特徴とする。
【発明の効果】
【００２３】
　以上のように、本発明のデュアルタイプ有機電界発光表示装置とその製造方法によれば、メイン有機電界発光表示装置とサブ有機電界発光表示装置とのシーリングにより第1,2有機膜を保護することができるため、外部から水分浸透を防止できる。又、実際の高さをできるだけ低くしてこれらの接合による厚さを薄くでき、シーリング材により密封された領域内に水分を除去するための吸湿剤が設けられているため、水分により第1,2有機膜が損傷されることを防止できる。そして、メイン基板又はサブ基板にスペーサを設けることができるため、メイン有機電界発光表示装置とサブ有機電界発光表示装置との構造的強度を向上させ得る。
【発明を実施するための最良の形態】
【００２４】
　以下、添付した図面を参照して本発明の望ましい実施例を詳細に説明する。
【００２５】
　図４及び図５には、本発明に係るデュアルタイプ有機電界発光表示装置の一例を示した。
【００２６】
　図１を参照すれば、デュアルタイプ有機電界発光表示装置100は、メイン有機電界発光表示装置110とサブ有機電界発光表示装置120との背面の縁がシーリング材130により相互接合されてなり、両面で画像をディスプレイすることができる。
【００２７】
　前記メイン有機電界発光表示装置110は、メイン基板111と、このメイン基板111に形成されたメイン有機電界発光部112とを備える。前記メイン基板111は、メイン有機電界発光部112により形成される光を透過させるため透明な材質よりなるか、或いはコントラストを向上させるためにダークティントガラスを使用することができる。そして、前記メイン有機電界発光部112は、メイン基板111の上面に形成された第１電極層113と、前記電極層113が形成されたメイン基板111の上面に画素を成せるように所定のパターンに第１電極層113が露出されるように形成される第１絶縁膜114と、前記第１絶縁膜114と第１電極層113の上面に形成された第１有機膜（図示せず）と、前記第１有機膜の上部に所定のパターンに形成された第２電極層116とを含む。
【００２８】
　そして、前記サブ有機電界発光表示装置120は、サブ基板121と、前記サブ基板121に形成されたサブ有機電界発光部122とを含む。前記サブ有機電界発光部122は、前記メイン有機電界発光部112と実質的に同一な構造を有する。即ち、前記サブ有機電界発光部122は、サブ基板121の上面に形成された第３電極層123と、前記第３電極層123が形成されたサブ基板121の上面に画素を成せるように所定のパターンに第３電極層123が露出されるように形成される第２絶縁層124と、前記第２絶縁膜124と第３電極層123の上面に形成された第２有機膜（図示せず）と、前記第２有機膜の上部に所定のパターンに形成された第４電極層126とを含む。
【００２９】
　前記メイン有機電界発光表示装置110とサブ有機電界発光表示装置120との背面を相互付着するシーリング材130は、前記メイン基板111とサブ基板121の縁に塗布されて前記メイン有機電界発光部112とサブ有機電界発光部122とが外部に露出されないようにすることにより水分の浸透が成されないようにすることが望ましい。ここで、前記メイン有機電界発光表示装置110とサブ有機電界発光表示装置120とを付着するシーリング材130の高さ(又は厚さ)はできるだけ低くして水分の浸透を最大限抑制することが望ましい。
【００３０】
　そして、図５及び図６に示されたように、前記シーリング材130により区画された密閉領域内には、シーリング材130を通じて浸透された水分によりメイン有機電界発光部112とサブ有機電界発光部121との第1,2有機膜115,125が損傷されることを防止するための吸湿手段140が設けられる。
【００３１】
　この吸湿手段140はメイン基板111又はサブ基板121に設けられうるが、図６に示されたように、メイン有機電界発光部112に比べて相対的に小さいサブ有機電界発光部122が形成されたサブ基板121のサブ有機電界発光部122の縁に引き込み部141が形成され、この引き込み部141に吸湿剤142が充填される。そして前記引き込み部141は吸湿剤142が流出されることを防止するための多孔性テ−プが付着される。
【００３２】
　ここで、前記吸湿手段140は前述した実施例により限定されず有機電界発光部に損傷を与えずに水分を吸水することができる構造であればいずれも可能である。例えば、前記引き込み部141に吸湿剤シートを付着することもできる。
【００３３】
　又、メイン有機電界発光部112とサブ有機電界発光部122とを保護するために図７に示されたようにパッシベーション層118,128を各々形成できる。このパッシベーション層118,128が形成された場合、これらの間に吸湿剤シート(図示せず)を設けることが望ましい。
【００３４】
　又、図８に示されたようにメイン有機電界発光部112とサブ有機電界発光部122とを包むパッシベーション層118,128は相互密着されるか、或いは一体に形成されてこれらの間に空間を除去し、これらの縁にシーリング材130により密封されうるようにすることが望ましい。
【００３５】
　一方、相互シーリング材130に接合されるメイン有機電界発光表示装置110及びサブ有機電界発光表示装置120の間には、外力に対するこれらの構造的強度を向上させるため、図９に示されたように、メイン有機電界発光表示装置110及びサブ有機電界発光表示装置120の対向される少なくとも一側にはスペーサ150が設けられる。前記スペーサ150は、メイン有機電界発光部11０又はサブ有機電界発光部12０の各第1,2絶縁膜（図示せず）の上面に形成されるが、有機電界発光部以外の領域に形成される。ここで、前記スペーサ150は前記第1,2絶縁膜114,124と一体に形成されうる。尚、図９には図示しないが、図６のようにシーリング材130を通じて浸透された水分により有機電界発光部の有機膜が損傷されることを防止するための吸湿手段が設けられるにが望ましい。
【００３６】
　図１０にはスペーサの他実施例を示した。図１０を参照すれば、前記スペーサ160は、メイン有機電界発光部112に比べて相対的に小さく形成されたサブ有機電界発光部122を除外したサブ基板121に形成されうる。この場合、前記スペーサ160はサブ有機電界発光装置の形成時に形成することが望ましい。又、図１０には図示しないが、図６のようにシーリング材130を通じて浸透された水分により有機電界発光部の有機膜が損傷されることを防止するための吸湿手段が設けられるにが望ましい。
【００３７】
　前記スペーサは、前述した実施例により限定されず前記メイン有機電界発光表示装置110とサブ有機電界発光表示装置120との間隔を維持し、外力に対してメイン基板111又はサブ基板121が曲がらないように対抗することができる構造であればいずれかも可能である。例えば、前記メイン又はサブ有機電界発光部112,122が形成されない領域の基板に突起を形成することにより成されうる。
【００３８】
　一方、前記メイン基板111及びサブ基板121の外面には偏光板(図示せず)が付着されうる。
【００３９】
　前述したように構成されたデュアルタイプ有機電界発光表示装置は、従来の有機電界発光表示装置とは違ってキャップが除外された状態で相互接合されるため、その厚さを大幅に薄くできる。特に、吸湿手段140がシーリング材130により密封された領域内に設けられるため、外部からの水分浸透によりメイン、サブ有機電界発光部112,122の有機膜115,125が損傷されることを防止することができる。又、メイン有機電界発光表示装置110とサブ有機電界発光表示装置120との間にスペーサ150,160が設けられているため、外力に対する構造的強度を向上させ得る。
【００４０】
　前記のような構造を有するデュアルタイプ有機電界発光表示装置の製造方法を、図１１を参照して説明すれば次の通りである。
【００４１】
　先ず、メイン有機電界発光表示装置のメイン基板を設ける段階を遂行する。前記メイン基板は透明な素材、例えばガラスが望ましい。前記メイン基板の上面には所定パターンのストリップ型の第１電極を形成する段階を遂行する。この段階で、前記第１電極の形成は、透明な導電膜、例えばITO膜を前記透明基板上に塗布し、第１電極と相応したパターンを有したフォトマスクを用いて露光、現像、エッチングするフォトリソグラフィ工程で成されうる。
【００４２】
　次いで、前記第１電極が形成されたメイン基板上に第１絶縁膜を形成する段階を遂行する。前記第１絶縁膜は、フォトリソグラフィ工程を通じて前記第１電極と直交する方向に多数ストリップ型に形成するか、或いは画素形成部を除外したメイン基板の前面に格子型に形成されうる。
【００４３】
　前記第１絶縁膜の形成が完了されれば、前記メイン基板と第１電極及び第１絶縁膜上に第１有機膜を形成する段階を遂行する。前記第１有機膜の形成段階では順次に遂行される正孔輸送層形成段階と、発光層形成段階と、電界輸送層形成段階とを含む。
【００４４】
　前記第１有機膜の形成が完了されれば、前記有機膜の上面にはストリップ型の第２電極を形成する段階を遂行する。前記第２電極は導電性にすぐれる金属材、例えばアルミニウム、銀、銀合金等の金属を蒸着して形成させ得る。
【００４５】
　前述したような工程でメイン有機電界発光表示装置が製造される間に、前記同様の方法でサブ有機電界発光表示装置を製造する。
【００４６】
　前記のようにメイン有機電界発光表示装置と前記サブ有機電界発光表示装置との製造が完了されれば、これらをエージングするエージング段階を遂行する。
【００４７】
　各々のエージング段階が完了されれば、メイン有機電界発光表示装置のメイン基板とサブ有機電界発光表示装置のサブ基板との縁をシーリング材に接合して、それらのメイン及びサブ有機電界発光部を外部に対して遮断させる。
【００４８】
　一方、前記のようにデュアル有機電界発光表示装置を製造するにおいて、前記第１絶縁膜又は第２絶縁膜の形成時に前記メイン基板とサブ基板との間隔を維持するためのスペーサを形成する段階を更に備えることができ、メイン有機電界発光表示装置とサブ有機電界発光表示装置とのメイン及びサブ有機電界発光部を保護するためのパッシベーション層形成段階を更に備えることができる。
【００４９】
　前記スペーサを形成するための段階は、メイン有機電界発光表示装置の第１絶縁膜の形成時に画素が形成されていない領域に第１絶縁膜から突出されるスペーサを一体に形成するか、或いは前記サブ有機電界発光表示装置の第２絶縁膜の形成時画素が形成されていない領域に第２絶縁膜から突出されるスペーサを一体に形成できる。
【００５０】
　又、前記メイン、サブ有機電界発光表示装置の製造時に少なくとも一側に水分を吸水することができる吸湿剤を設ける段階を更に備えることができる。吸湿剤の設置段階は、サブ基板を準備する段階でサブ基板の一側に引き込み溝を形成する段階を遂行し、前記メイン基板とサブ基板とをシーリングするシーリング段階で前記引き込み溝に吸湿剤を充填する段階と、多孔性テ−プをサブ基板に付着する段階とを更に備えることができる。
【００５１】
　尚、本発明は添付した図面に示した一実施例を参照に説明されたが、これは例示的なものに過ぎなく、当該技術分野で当業者ならこれより多様な変形及び均等な他実施例が可能であるという点を理解できることである。従って、本発明の真の保護範囲は特許請求の範囲によってのみ決められなければならない。
【産業上の利用可能性】
【００５２】
　本発明のデュアルタイプの有機電界発光表示装置は、ユ−ザが選択的に前面と背面とに表示された情報を用いることができる。例えば、かかるデュアルタイプの有機電界発光表示装置はフォルダー型の電子製品に用いることができる。
【図面の簡単な説明】
【００５３】
【図１】従来のデュアルタイプ有機電界発光表示装置を示した断面図である。
【図２】従来デュアルタイプ有機電界発光表示装置の他の例を示した断面図である。
【図３】従来デュアルタイプ有機電界発光表示装置の他の例を示した断面図である。
【図４】本発明に係るデュアルタイプ有機電界発光表示装置の一実施形態例を示した断面図である。
【図５】本発明に係るデュアルタイプ有機電界発光表示装置の分離斜視図である。
【図６】本発明に係るデュアルタイプ有機電界発光表示装置の他の実施形態例を示した断面図である。
【図７】本発明に係るデュアルタイプ有機電界発光表示装置の他の実施形態例を示した断面図である。
【図８】本発明に係るデュアルタイプ有機電界発光表示装置の他の実施形態例を示した断面図である。
【図９】本発明に係るデュアルタイプ有機電界発光表示装置の他の実施形態例を示した断面図である。
【図１０】本発明に係るデュアルタイプ有機電界発光表示装置の他の実施形態例を示した断面図である。
【図１１】本発明に係るデュアルタイプ有機電界発光表示装置の製造方法を段階的に示したブロック図である。
【符号の説明】
【００５４】
100   デュアルタイプ有機電界発光表示装置
110   メイン有機電界発光表示装置
111   メイン基板
112   メイン有機電界発光部
113   第１電極層
114   第１絶縁膜
115   第１有機膜
116   第２電極層
120   サブ有機電界発光表示装置
121   サブ基板
122   サブ有機電界発光部
123   第３電極層
124   第２絶縁層
125   第２有機膜
126   第４電極層
130   シーリング材
【図１】
2004055565.tif 000003
【図２】
2004055565.tif 000004
【図３】
2004055565.tif 000005
【図４】
2004055565.tif 000006
【図５】
2004055565.tif 000007
【図６】
2004055565.tif 000008
【図７】
2004055565.tif 000009
【図８】
2004055565.tif 000010
【図９】
2004055565.tif 000011
【図１０】
2004055565.tif 000012
【図１１】
2004055565.tif 000013